(57)【特許請求の範囲】
【請求項１】
複数の動作モードを備え、画像データを入力する入力手段と、前記入力手段から入力される画像データを蓄積する蓄積手段と、前記蓄積手段に蓄積された画像データに基づいて画像出力を行う出力手段とを備えるとともに、前記蓄積手段に蓄積された画像データに基づいて表示画像を生成する表示画像生成手段と、前記表示画像生成手段により生成された表示画像を表示する表示手段と、前記表示画像生成手段により生成された表示画像を前記表示手段にプレビュー表示する表示制御手段とを具備する画像表示操作装置を備える画像形成装置において、
前記表示画像生成手段は、前記複数の動作モードの中から選択された動作モードに対応して、前記蓄積手段に蓄積された画像データの色調を制御した表示画像を生成する機能を備え、
前記表示制御手段は、前記選択された動作モードに対応した表示画像を前記表示手段にプレビュー表示する機能を備え、
前記画像表示操作装置は、複数の動作モードを同時に設定可能に構成され、
前記画像表示操作装置により複数の動作モードが同時に設定された場合は、
前記表示制御手段は、前記複数の動作モードのうちの１つの動作モードを主モードとして設定し、前記表示画像生成手段により前記主モードに対応して前記蓄積手段に蓄積された画像データの色調を制御して生成された表示画像を前記表示手段にプレビュー表示することを特徴とする画像形成装置。
【請求項２】
前記画像形成装置は、動作モードとしてコピーモードを備え、
前記主モードとしてコピーモードが設定された場合は、
前記表示画像生成手段は、前記蓄積手段に蓄積された画像データがカラーの画像データの場合には、前記蓄積手段に蓄積された画像データに基づく表示画像をカラー画像として生成し、
前記表示制御手段は、前記表示画像生成手段に生成されたカラー画像を前記表示手段にプレビュー表示することを特徴とする請求項１に記載の画像形成装置。
【請求項３】
前記画像形成装置は、動作モードとしてファクシミリモードまたはインターネットファクシミリモードを備え、
前記主モードとしてファクシミリモードまたはインターネットファクシミリモードが設定された場合は、
前記表示画像生成手段は、前記蓄積手段に蓄積された画像データに基づく表示画像をモノクロ画像として生成し、
前記表示制御手段は、前記表示画像生成手段に生成されたモノクロ画像を前記表示手段にプレビュー表示することを特徴とする請求項１に記載の画像形成装置。
【請求項４】
前記プレビュー表示は、画像データ入力中及び仕上り状態を確認するためのプレビュー表示であることを特徴とする請求項２または３に記載の画像形成装置。
【発明の詳細な説明】
【技術分野】
【０００１】
本発明は、画像形成装置に係り、特に、複数の動作モードを備え、原稿画像をプレビュー表示可能な画像表示操作装置を備えた画像形成装置に関する。
【背景技術】
【０００２】
近年、画像形成装置において、原稿画像（入力画像）に対する多彩な編集機能の中から、所望する編集機能を選択して出力物を完成させる画像編集機能を搭載した画像形成装置が知られている。特に、プリンタ機能、コピー機能及びＦＡＸ機能などの複数の機能（動作モード）を備えた、いわゆるデジタル複合機においては、原稿画像を画像データとして取り扱うこととなるため、多彩な画像の編集が可能なデジタル画像形成装置として実現されている。
【０００３】
このような画像形成装置では、上述の各種機能を実行する際の設定を行うため、液晶タッチパネルなどの表示操作部が設けられている。近年のデジタル複合機は、複数の機能が存在する上に、設定すべき項目が多くなっているため、わかりやすい設定画面を表示することや、利用者による設定の操作負担を軽減することが求められている。
【０００４】
近年、複数ページの原稿画像をプレビュー表示可能な画像表示操作装置を備えた画像形成装置が知られている。このような画像形成装置によれば、ジョブの実行前に事前に原稿をスキャン（プリスキャン）した処理結果を表示画面上にプレビュー表示することで、出力する前に読取った原稿を確認することができる。
【０００５】
従来、画像形成装置において、表示画面上にプレビュー表示する場合は、画像読込み装置で読込んだ画像データからプレビュー表示する表示画像を生成し、表示画面上に表示する際には、読込んだ画像をそのまま縮小した表示画像を生成してプレビュー表示するようにされている（特許文献１を参照）。
【０００６】
例えば、カラー原稿を読込んだ場合は、カラーのまま縮小した表示画像を生成してプレビュー表示している。
【先行技術文献】
【特許文献】
【０００７】
【特許文献１】特開２００７−２２１７２９号公報
【発明の概要】
【発明が解決しようとする課題】
【０００８】
しかしながら、画像形成装置としての複数の動作モードを有するデジタル複合機には、ファクシミリモードやインターネットファクシミリモードを有するものがあるが、それらの動作モードにおいてはモノクロ画像送信が主流になっているのが現状である。
【０００９】
従って、デジタル複合機におけるファクシミリ送信やインターネットファクシミリ送信モードにおいては、原稿画像の読込み中や読込完了後の仕上り状態（出力される画像の状態）を確認するためのプレビュー表示を行う際に、読込まれる原稿がカラー原稿の場合、読込んだカラー画像をそのままカラーの表示画像でプレビュー表示されると、実際に送信される画像のイメージがつかみ難くなるという問題が生じる。
【００１０】
そのため、実際に送信される画像のイメージを認識するためには、その都度、カラー画像をモノクロ画像の表示に切り替えるなどの煩雑な操作をしなければならないという問題がある。
【００１１】
本発明は、上記従来の課題に鑑みてなされたものであり、画像形成装置における複数の動作モードにおいて、煩雑な操作を行うことなく、実際に出力する画像のイメージを即座に確認できる画像送信装置を提供することを目的とする。
【課題を解決するための手段】
【００１２】
本発明は、複数の動作モードを備え、画像データを入力する入力手段と、前記入力手段から入力される画像データを蓄積する蓄積手段と、前記蓄積手段に蓄積された画像データに基づいて画像出力を行う出力手段とを備えるとともに、前記蓄積手段に蓄積された画像データに基づいて表示画像を生成する表示画像生成手段と、前記表示画像生成手段により生成された表示画像を表示する表示手段と、前記表示画像生成手段により生成された表示画像を前記表示手段にプレビュー表示する表示制御手段とを具備する画像表示操作装置を備える画像形成装置において、前記表示画像生成手段として、前記複数の動作モードの中から選択された動作モードに対応して、前記蓄積手段に蓄積された画像データの色調を制御した表示画像を生成する機能を備え、前記表示制御手段として、前記選択された動作モードに対応した表示画像を前記表示手段にプレビュー表示する機能を備え、前記画像表示操作装置が、複数の動作モードを同時に設定可能に構成され、前記画像表示操作装置により複数の動作モードが同時に設定された場合は、前記表示制御手段により前記複数の動作モードのうちの１つの動作モードを主モードとして設定し、前記表示画像生成手段により前記主モードに対応して前記蓄積手段に蓄積された画像データの色調を制御して生成された表示画像を前記表示手段にプレビュー表示することを特徴とするものである。
【００１４】
また、本発明は、前記画像形成装置において、動作モードとしてコピーモードを備え、前記主モードとしてコピーモードが設定された場合は、前記表示画像生成手段により、前記蓄積手段に蓄積された画像データがカラーの画像データの場合には、前記蓄積手段に蓄積された画像データに基づく表示画像をカラー画像として生成し、前記表示制御手段により、前記表示画像生成手段に生成されたカラー画像を前記表示手段にプレビュー表示することが好ましい。
【００１５】
また、本発明は、前記画像形成装置において、動作モードとしてファクシミリモードまたはインターネットファクシミリモードを備え、前記主モードとしてファクシミリモードまたはインターネットファクシミリモードが設定された場合は、前記表示画像生成手段により、前記蓄積手段に蓄積された画像データに基づく表示画像をモノクロ画像として生成し、前記表示制御手段により、前記表示画像生成手段に生成されたモノクロ画像を前記表示手段にプレビュー表示することが好ましい。
【００１６】
また、本発明は、前記プレビュー表示を、画像データ入力中及び仕上り状態を確認するためのプレビュー表示とすることが好ましい。
【発明の効果】
【００１９】
本発明によれば、複数の動作モードを備え、画像データを入力する入力手段と、前記入力手段から入力される画像データを蓄積する蓄積手段と、前記蓄積手段に蓄積された画像データに基づいて画像出力を行う出力手段とを備えるとともに、前記蓄積手段に蓄積された画像データに基づいて表示画像を生成する表示画像生成手段と、前記表示画像生成手段により生成された表示画像を表示する表示手段と、前記表示画像生成手段により生成された表示画像を前記表示手段にプレビュー表示する表示制御手段とを具備する画像表示操作装置を備える画像形成装置において、前記表示画像生成手段として、前記複数の動作モードの中から選択された動作モードに対応して、前記蓄積手段に蓄積された画像データの色調を制御した表示画像を生成する機能を備え、前記表示制御手段として、前記選択された動作モードに対応した表示画像を前記表示手段にプレビュー表示する機能を備え、前記画像表示操作装置が、複数の動作モードを同時に設定可能に構成され、前記画像表示操作装置により複数の動作モードが同時に設定された場合は、前記表示制御手段により前記複数の動作モードのうちの１つの動作モードを主モードとして設定し、前記表示画像生成手段により前記主モードに対応して前記蓄積手段に蓄積された画像データの色調を制御して生成された表示画像を前記表示手段にプレビュー表示することで、選択された動作モードによって、例えば、コピーモードの場合はカラー画像、ファクシミリ送信の場合はモノクロ画像というように、プレビュー表示する画像の色調を変えてプレビュー表示することができるので、特にファクシミリ送信の場合は、実際に送信する画像を即座に確認することができ、さらに、主モードに適したプレビュー表示（カラー画像もしくはモノクロ画像）を行うことで、違和感なく表示画像を確認することができる。
【００２１】
また、本発明によれば、前記画像形成装置において、動作モードとしてコピーモードを備え、前記主モードとしてコピーモードが設定された場合は、前記表示画像生成手段により、前記蓄積手段に蓄積された画像データがカラーの画像データの場合には、前記蓄積手段に蓄積された画像データに基づく表示画像をカラー画像として生成し、前記表示制御手段により、前記表示画像生成手段に生成されたカラー画像を前記表示手段にプレビュー表示することで、表示画像を容易に確認することができる。
【００２２】
また、本発明によれば、前記画像形成装置において、動作モードとしてファクシミリモードまたはインターネットファクシミリモードを備え、前記主モードとしてファクシミリ送信モードまたはインターネットファクシミリ送信モードが設定された場合は、前記表示画像生成手段により、前記蓄積手段に蓄積された画像データに基づく表示画像をモノクロ画像として生成し、前記表示制御手段により、前記表示画像生成手段に生成されたモノクロ画像を前記表示手段にプレビュー表示することで、ファクシミリ送信やインターネットファクシミリ送信においては白黒画像送信が主流であるため、読取った時点で実際に送信する白黒の画像で即座に確認できる。
【００２３】
また、本発明によれば、前記プレビュー表示を、画像データ入力中及び仕上り状態を確認するためのプレビュー表示とすることで、画像データ入力中及び仕上り状態を容易に確認することができる。
【図面の簡単な説明】
【００２６】
【図１】本発明の実施形態に係る画像形成装置の全体の構成を示す説明図である。
【図２】前記画像形成装置の内部構成を簡略化して示す説明図である。
【図３】前記画像形成装置のハードウェア構成を示す機能ブロック図である。
【図４】前記画像形成装置のタッチパネルディスプレイの表示領域を示す説明図である。
【図５】前記タッチパネルディスプレイに表示される画面例を示す説明図である。
【図６】前記タッチパネルディスプレイに表示されるプレビュー領域を変更した状態を示す説明図である。
【図７】前記タッチパネルディスプレイを構成する表示パネルの表示態様を示す説明図である。
【図８】前記タッチパネルディスプレイのプレビュー表示領域の表示態様の一例を示す説明図である。
【図９】前記画像形成装置における操作ユニットの電気的構成を示すブロック図である。
【図１０】前記操作ユニットを構成するタッチパネルディスプレイの構成を示すブロック図である。
【図１１】前記画像形成装置の動作モードにおける表示条件に応じたプレビュー画像を示す表である。
【図１２】前記画像形成装置において原稿読取部による原稿読取状況及び画像出力手段による画像出力（ＦＡＸ送信）状況をタッチパネルディスプレイ上でプレビュー表示を行うときの動作の一例を示すフローチャートである。
【図１３】本実施形態の画像形成装置におけるタッチパネルディスプレイの原稿読取り時の表示態様を示す実施例１の説明図である。
【図１４】前記タッチパネルディスプレイにおける原稿読取り開始時の表示状態を示す説明図である。
【図１５】原稿をＡ４縦送りにセットして前記タッチパネルディスプレイの第１の表示領域に１枚目の原稿の画像を表示した状態を示す説明図である。
【図１６】前記タッチパネルディスプレイの第１の表示領域から第２の表示領域に１枚目の画像が移動する状態を示す説明図である。
【図１７】前記タッチパネルディスプレイの第１の表示領域から第２の表示領域に１枚目の画像が移動した後に第１の表示領域に２枚目の画像を表示した状態を示す説明図である。
【図１８】前記第２の表示領域に表示された１枚目の画像が回転移動する状態を示す説明図である。
【図１９】前記第２の表示領域に表示された１枚目の画像の回転変移が終了した状態を示す説明図である。
【図２０】前記タッチパネルディスプレイの第１の表示領域から第２の表示領域に２枚目の画像が移動する状態を示す説明図である。
【図２１】前記タッチパネルディスプレイの第２の表示領域の１枚目の画像の背後に２枚目の画像が移動した状態を示す説明図である。
【図２２】前記第２の表示領域に表示された２枚目の画像が回転移動する状態を示す説明図である。
【図２３】前記第２の表示領域に表示された２枚目の画像の回転変移が終了した状態を示す説明図である。
【図２４】前記タッチパネルディスプレイの第１の表示領域から第２の表示領域に３枚目の画像が移動する状態を示す説明図である。
【図２５】前記タッチパネルディスプレイの第２の表示領域に移動した２枚目の画像の背後に３枚目の画像が移動した状態を示す説明図である。
【図２６】前記第２の表示領域に表示された３枚目の画像が回転移動する状態を示す説明図である。
【図２７】前記第２の表示領域に表示された３枚目の画像の回転変移が終了してした状態を示す説明図である。
【図２８】前記画像形成装置において全ての原稿のスキャンインによる事前読込が完了した直後の前記タッチパネルディスプレイの表示状態を示す説明図である。
【図２９】前記画像形成装置において全ての原稿のスキャンインによる事前読込が完了後の指示待ち状態の前記タッチパネルディスプレイの表示状態を示す説明図である。
【図３０】本実施形態の画像形成装置におけるタッチパネルディスプレイの原稿読取り時の表示態様を示す実施例２の説明図である。
【図３１】前記タッチパネルディスプレイにおける原稿読取り開始時の表示状態を示す説明図である。
【図３２】原稿をＡ４横送りにセットして前記タッチパネルディスプレイの第１の表示領域に１枚目の原稿の画像を表示した状態を示す説明図である。
【図３３】前記タッチパネルディスプレイの第１の表示領域から第２の表示領域に１枚目の画像が移動する状態を示す説明図である。
【図３４】前記タッチパネルディスプレイの第１の表示領域から第２の表示領域に１枚目の画像が移動した後に第１の表示領域に２枚目の画像を表示した状態を示す説明図である。
【図３５】前記タッチパネルディスプレイの第１の表示領域から第２の表示領域に２枚目の画像が移動する状態を示す説明図である。
【図３６】前記タッチパネルディスプレイの第２の表示領域の１枚目の画像の背後に２枚目の画像が移動した後に第１の表示領域に３枚目の画像を表示した状態を示す説明図である。
【図３７】前記タッチパネルディスプレイの第２の表示領域に移動した２枚目の画像の背後に３枚目の画像が移動した状態を示す説明図である。
【図３８】前記画像形成装置において全ての原稿のスキャンインによる事前読込が完了した直後の前記タッチパネルディスプレイの表示状態を示す説明図である。
【図３９】前記画像形成装置において全ての原稿のスキャンインによる事前読込が完了後の指示待ち状態の前記タッチパネルディスプレイの表示状態を示す説明図である。
【発明を実施するための形態】
【００２７】
以下、本発明の実施形態について図面を参照して説明する。
図１は発明を実施する形態の一例であって、本発明の実施形態に係る画像形成装置の全体の構成を示す説明図、図２は前記画像形成装置の内部構成を簡略化して示す説明図、図３は前記画像形成装置のハードウェア構成を示す機能ブロック図、図４は前記画像形成装置のタッチパネルディスプレイのプレビュー表示領域を示す説明図、図５は前記タッチパネルディスプレイに表示される画面例を示す説明図、図６は前記タッチパネルディスプレイに表示されるプレビュー領域を変更した状態を示す説明図である。
【００２８】
本発明の実施形態は、図１に示すように、コピーモード、ファクシミリモード（ＦＡＸモード）等の複数の動作モードを備え、画像データを入力する原稿読取部（入力手段）１０２と、原稿読取部１０２から入力される画像データを蓄積する蓄積手段１０５（図９を参照）と、画像データに基づいて画像出力を行う画像出力手段（出力手段）１０７と、原稿読取部１０２により入力された画像データに基づいて記録媒体上に画像を形成する画像形成部１０４とを備えるとともに、蓄積手段１０５に蓄積された画像データに基づいて表示画像を生成する表示画像生成手段１３７（図９を参照）と、画像データに基づいてプレビュー画像を表示する表示パネル（表示手段）１３２と、表示画像生成手段１３７により生成された表示画像を表示パネル１３２にプレビュー表示する操作ユニット側制御部（表示制御手段）１３１（図９を参照）とを具備する操作ユニット（画像表示操作装置）１２０とを備える画像形成装置１００において、操作ユニット側制御部１３１及び表示画像生成手段１３７の構成をとして、本発明に係る画像形成装置の構成を採用したものである。
【００２９】
表示パネル１３２に表示される複数原稿画像は、画像形成装置１００の原稿読取部などから取り込まれた原稿画像の形態をプレビュー表示するものであり、且つ、画像形成部から記録用紙上に形成される画像の出力形態を仕上りプレビュー画像として表示するものである。
【００３０】
本実施形態に係る画像形成装置１００は、複数の動作モードを備え、その動作モードが切り換えられて表示機器の画面が切り換えられた場合において、ユーザが画面構成を覚えていなくても、ユーザが求める情報をユーザが容易に取得することができるように、情報を表示する表示機器を備えた装置であればよい。
【００３１】
尚、本実施形態に係る画像形成装置１００は、ジェスチャー操作方法とジェスチャー操作によらないタッチ操作方法とにより操作が可能なタッチパネルディスプレイ（操作画面）を備えるとするが、タッチ操作のみが可能なタッチパネルディスプレイを備える装置であってもよく、さらには、操作が不可能な表示のみ可能な表示パネル及び操作用のボタンを備える装置であってもよい。
【００３２】
この画像形成装置１００は、電子写真方式により記録用紙に画像を形成する。
また、画像形成装置１００は、動作モードとして、コピーモード、ファクシミリモード（ＦＡＸモード）、ドキュメントファイリングモード（スキャンした画像を画像形成装置内部の記憶装置に記憶するモード）及びメールモード（スキャンした画像を電子メールに添付する形式で送信するモード）を備える。尚、この画像形成装置１００は、さらにネットワークプリンタモードを備えていても構わない。
【００３３】
また、本発明はこれに限定されず、動作モード毎に画面が切り換わる画像形成装置であれば構わない。また、印刷方式は電子写真方式に限定されない。
【００３４】
まず、本発明の実施形態に係る画像形成装置１００について説明する。
本実施形態に係る画像形成装置１００は、図１に示すように、原稿読取部１０２、画像形成部１０４、給紙部１０６、排紙処理装置１０８、及び、操作ユニット１２０を備える。
操作ユニット１２０は、タッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル（タッチ操作認識手段）１３４とで構成される。表示操作部１４０は、表示灯１４２と、電源キー１４４と、省エネルギーキー（以下「省エネキー」と記載）１４６と、動作モードを選択するホーム画面ヘタッチパネルディスプレイ１３０の表示画面を戻すためのホームキー１４８とで構成される。
【００３５】
このように画像形成装置１００は、主たる操作デバイスとしてタッチパネルディスプレイ１３０を備えるとともに、ハードウェアキー及び表示灯により構成される表示操作部１４０を備える。表示操作部１４０のキー（電源キー１４４、省エネキー１４６、ホームキー１４８）は、タッチパネルディスプレイ１３０により構成されるソフトウェアボタンと対比して、ハードウェアボタンとして構成される点が特徴である。
【００３６】
尚、画像形成装置１００は、このような構成の表示操作部１４０を備えるものに限定されず、タッチパネルディスプレイ１３０のみを備えるものであってもよい。タッチパネルディスプレイ１３０に表示されたホーム画面においてユーザが動作モードを選択すると、選択された動作モードにおける初期画面に切り換わるものであれば構わない。このような画像形成装置１００の動作モードについて説明する。
【００３７】
（コピーモード）
以下において、画像形成装置１００のコピーモードでの動作について説明する。
このコピーモードにおいては、主として、原稿読取部（以下、「スキャナ部」と称する。）１０２及び画像形成部１０４が動作する。
【００３８】
画像形成装置１００においては、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データが画像形成部１０４へと出力される。
【００３９】
画像形成部１０４は、図２に示すように、画像データによって示される原稿の画像を記録媒体（多くの場合、記録用紙）に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、及び図示しない除電装置等を備えている。
【００４０】
画像形成部１０４には、主搬送路２３６及び反転搬送路２３８が設けられており、給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００４１】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行われる。
【００４２】
感光体ドラム２２２は、一方向に回転し、その表面は、クリーニング装置２３２と除電装置によりクリーニングされた後、帯電装置２２４により均一に帯電される。
【００４３】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００４４】
現像装置２２８は、トナーを感光体ドラム２２２の表面に供給して静電潜像を現像し、トナー像を感光体ドラム２２２の表面に形成する。
【００４５】
転写装置２３０は、当該転写装置２３０と感光体ドラム２２２との間を通過していく記録用紙に感光体ドラム２２２の表面のトナー像を転写する。
【００４６】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。尚、省エネモードに移行すると、例えば、このヒータへ供給される電力が停止されたり削減されたりする。
【００４７】
主搬送路２３６と反転搬送路２３８との接続位置には、分岐爪２４４が配設されている。記録用紙の片面のみに印刷が行われる場合は、分岐爪２４４が位置決めされ、この分岐爪２４４により定着装置２３４からの記録用紙が排紙トレイ２４６または排紙処理装置１０８の方へと導かれる。
【００４８】
記録用紙の両面に印刷が行われる場合は、分岐爪２４４が所定方向に回動されて記録用紙が一旦排紙トレイ２４６側へ導かれた後、スイッチバック搬送されて反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行われて排紙トレイ２４６または排紙処理装置１０８の方へと導かれる。
【００４９】
上述のようにして印刷された記録用紙は、排紙トレイ２４６または排紙処理装置１０８の方へと導かれて排紙トレイ２４６に排出され、または排紙処理装置１０８の各排紙トレイ１１０の何れかに排出される。
【００５０】
排紙処理装置１０８では、複数の記録用紙を各排紙トレイ１１０に仕分けして排出する処理、各記録用紙にパンチングする処理、及び各記録用紙にステープルする処理を施す。例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット１１１によるパンチング処理またはステープルユニット１１２によるステープル処理を施して印刷物を作成する。
【００５１】
（ファクシミリモード）
以下において、ファクシミリモードでの動作について説明する。
このファクシミリモードにおいては、図３に示すように、主として、送信動作は原稿読取部（スキャナ部）１０２及びＦＡＸ通信部１６０が動作することにより、受信動作はＦＡＸ通信部１６０及び画像形成部１０４が動作する。
【００５２】
（送信動作）
画像形成装置１００においては、ファクシミリモードを指定して、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データがＦＡＸ通信部（図３のＦＡＸ通信部１６０）へと出力される。
【００５３】
図３に示すように、送信側の画像形成装置１００のＦＡＸ通信部１６０は、指定された送信側の回線を指定された送信先に接続して、画像データをファクシミリ通信規格に合致した通信データへ変換して、受信側のファクシミリ装置（例えばファクシミリ機能を備えた画像形成装置１００）へ送信する。
【００５４】
（通信動作）
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側及び受信側で互いに実装されている能力情報の受渡しを行ない、利用可能な最大能力での通信速度及び画像データの符号化・符号訂正方式などを決定してモデムの通信方式を設定する。この通信方式にあわせた画像信号静式を用いて、送信側の画像形成装置１００のＦＡＸ通信部１６０から受信側の画像形成装置１００のＦＡＸ通信部１６０ヘデータを送信する。送信が終了すると回線が切断される。
【００５５】
（受信動作）
受信側の画像形成装置１００のＦＡＸ通信部１６０は、受信したデータを画像データに変換して、画像形成部１０４へ送る。尚、受信したデータを画像データへ変換するのは画像形成部１０４であっても構わない。画像形成部１０４は、上述したコピーモードにおける動作と同じように、受信したデータから変換された画像データによって示される原稿の画像を記録用紙に印刷する。
【００５６】
次に、画像形成装置１００の制御ブロック構成について図面を参照して説明する。
図３に示すように、画像形成装置１００は、さらに、コピーモード、ファクシミリモードとして装置が搭載する機能の設定が可能な操作ユニット１２０と、プログラム等を記憶するためのＲＯＭ３０６と、通電が遮断された場合であってもプログラム及びデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００５７】
画像形成装置１００は、さらに、原稿読取部１０２、画像形成部１０４、ＦＡＸ通信部１６０、操作ユニット１２０、ＲＯＭ３０６、ハードディスク３０２、及びＲＡＭ３０８に接続されるパス３１０と、パス３１０に接続された、画像形成装置としての一般的機能を実現するためのＣＰＵ３００とを含む。
【００５８】
ハードディスク３０２には、この画像形成装置１００でスキャンした原稿の画像データのファイルが記憶される。また、ハードディスク３０２には、各動作モードの初期画面データが記憶されている。（ハードディスク３０２でなくてもＲＯＭ３０６に記憶させておくことも可能）
【００５９】
ＲＯＭ３０６には、画像形成装置１００の動作を制御するのに必要なプログラム及びデータ等が記憶されている。このＲＯＭ３０６にプログラムとともに記憶するデータとして、各動作モードの初期画面データを記憶するようにしても構わない。ＣＰＵ３００は、ＲＯＭ３０６に格納されているプログラム及びデータに従って画像形成装置１００の制御を行うとともに画像形成装置１００の各機能に関する制御を実行する。
【００６０】
図３に示すように、この画像形成装置１００のＦＡＸ通信部１６０には、画像データの送受信用に公衆回線が接続され、ネットワークインターフェイス３０４には、ネットワーク回線が接続されている。このネットワーク回線には、この画像形成装置１００をネットワーク対応のプリンタとして使用するコンピュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得することができる。
【００６１】
ＲＡＭ３０８は、ＣＰＵ３００による演算及び処理の結果を一時的に記憶するワーキングメモリとしての機能と、画像データを記憶するフレームメモリとしての機能とを提供する。
【００６２】
原稿読取部１０２、画像形成部１０４、操作ユニット１２０を構成するタッチパネルディスプレイ１３０及び表示操作部１４０、ならびにＲＯＭ３０６、ハードディスク３０２、及びＲＡＭ３０８に対する制御は、ＣＰＵ３００が所定のプログラムを実行することにより行われる。尚、操作ユニット１２０は、入出力インターフェイスを介してＣＰＵ３００と通信する。
【００６３】
操作ユニット１２０は、ユーザが目視しやすいように傾斜して設けられた板状のパネルで構成される。操作ユニット１２０の表面には、その左側の領域にタッチパネルディスプレイ１３０が、右側の領域に表示操作部１４０（表示灯１４２ならびにハードウェアボタンである電源キー１４４、省エネキー１４６及びホームキー１４８）が、備えられている。タッチパネルディスプレイ１３０及び表示操作部１４０は、操作ユニット１２０が全体として一体となるように構成されている。
【００６４】
上述したように、このタッチパネルディスプレイ１３０は、表示パネル１３２と、表示パネル１３２に重ねて配置されたタッチパネル１３４とで構成される。
【００６５】
このタッチパネルディスプレイ１３０においては、表示パネル１３２に、この画像形成装置１００における動作モードを選択するホーム画面、この画像形成装置１００の現在の状態、宛先指定状況、ジョブの処理状況等が表示される。表示パネル１３２のプレビュー表示領域上にはソフトウェアボタンである選択ボタンが表示され、この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定及び動作指示等が行われる。この画像形成装置１００はこのようなタッチ操作（ユーザによる押圧位置に基づくコマンド入力操作）に加えて、上述したジェスチャー操作（ユーザによる操作軌跡に基づくコマンド入力操作）にも対応している。
【００６６】
また、表示操作部１４０の表示灯１４２は、例えばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（例えば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時間が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、タッチパネルディスプレイ１３０の表示を初期状態（ホーム画面）へ戻すためのハードウェアキーである。尚、電源キー１４４、省エネキー１４６及びホームキー１４８を押下したときの処理はこれらに限定されるものではない。
【００６７】
尚、表示操作部１４０のハードウェアボタン（電源キー１４４、省エネキー１４６及びホームキー１４８）には、ＣＰＵ３００により点灯／消灯（／点滅）が制御されるキーランプを埋め込むようにしても構わない。例えば、このキーランプは、円型のキーの５周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００６８】
本実施形態に係る画像形成装置１００においては、上述した２つの動作モード（コピーモード、ファクシミリモード）を備える。タッチパネルディスプレイ１３０には、それぞれの動作モードにおける機能設定用のソフトウェアボタンと、必要に応じて、画像形成イメージであるプレビューまたは宛先設定用のボタン等が表示される。
【００６９】
動作モードが違う場合には、タッチパネルディスプレイ１３０は、異なる画面が表示される。このような場合であっても、ユーザが要求する情報を容易に見つけることのできるように、タッチパネルディスプレイ１３０は複数の領域に分割されて（かつその領域の大きさを可変として）、各領域に情報を表示するという本発明の本質的部分を備える。特にこの画像形成装置１００においては、主たる表示操作デバイスとして設けられたタッチパネルディスプレイ１３０のホーム画面において動作モードを選択すると、各動作モードの初期画面が表示される。
【００７０】
この初期画面において、（１）基本レイアウトが５つの領域（「システム領域」、「機能選択領域」、「プレビュー領域」、「アクションパネル領域」、「タスクトリガー領域」）に分割されて適切に配置されているので、左上から右下へユーザが操作することにより（このような大型のタッチパネルディスプレイ１３０を備えない従来機と同じようなユーザの視点の動線及び指先の動線が実現されるために）容易に設定が可能で、（２）異なる動作モードであっても５つの領域のそれぞれに表示される概念は同じものであって、動作モードが異なってもユーザが混乱することなく操作が可能である。
以下に、このような基本レイアウトの構成について説明する。
【００７１】
まず、画像形成装置１００のタッチパネルディスプレイ１３０における基本レイアウトについて図面を参照して説明する。
タッチパネルディスプレイ１３０の基本レイアウトは、図４に示すように、横長のタッチパネルディスプレイ１３０において（例えば、横１０２４ピクセル×縦６００ピクセル）、最上部に配置されたシステム領域１０００、画面中央部に配置されたプレビュー領域（プレビュー表示領域）３０００、プレビュー領域３０００の左側に配置された機能設定／確認領域２０００（以下、機能選択領域２０００と記載する）、プレビュー領域３０００の右上部に配置されたアクションパネル領域４０００、及び、プレビュー領域３０００の右下部に配置されたタスクトリガー領域（操作キー表示領域）５０００で構成される。
【００７２】
尚、タッチパネルディスプレイ１３０における領域の数は５つに限定されるものではなく、左右の並びもこれに限定されず、例えば、ユーザの利き手に応じて領域の左右の配置を逆にしても構わない。また、システム領域１０００の位置は最下部であっても構わない。また、状態もしくは設定によっては表示されなくても構わない。
【００７３】
システム領域１０００には、この画像形成装置１００の現時点での状態が表示され、操作中の動作モードのタイトル、画像形成装置１００の状況・状態が表示される。例えば、システム領域１０００には、動作モード名、割り込みキー、ログインユーザ名、処理中のジョブ状況、内蔵メモリ使用状態、時刻等が表示される。
【００７４】
機能選択領域２０００には、各機能の設定、表示の切り換え、設定の確認のためにユーザにより操作される機能選択メニュー（アイコン、ボタン等）が、アイコンモード、レギュラーモード及びエキスプレスモードで表示態様を変更して、表示される。アイコンモードにおいては、プレビュー領域３０００が最も広くなるように機能選択領域２０００には機能設定用のアイコンのみが表示される。エキスプレスモードにおいては、プレビュー領域３０００が最も狭くなっても機能選択領域２０００には機能を一度に設定できる画面が大きく表示される。レギュラーモードにおいては、プレビュー領域３０００の大きさはアイコンモードとエキスプレスモードとの中間の大きさであって、機能選択領域２０００には機能設定のアイコンとともに機能名称がテキスト表示される。
【００７５】
これらのアイコンモード、レギュラーモード及びエキスプレスモードの切り換えはユーザの操作に基づく。すなわち、プレビュー領域３０００の大きさが、ユーザの操作に応じて変更して表示される。このように、アイコンは、小さい領域でユーザへの情報を伝達することができるので、全ての機能に対して準備しておいて、プレビュー領域３０００が大きく表示できることが好ましい。
【００７６】
この機能選択領域２０００には、その下部に機能選択領域２０００の表示スタイルを変更する変更ボタン群２０１０を備える。変更ボタン群２０１０には、アイコンモードで機能選択領域２０００を表示するアイコンモード移行ボタン２０１２、「お気に入り」登録した機能を表示させるお気に入りボタン２０１４、設定が変更された機能を表示させるチェックボタン２０１６、選択されている動作モードにおいて設定可能な全ての機能の一覧を表示するリストボタン２０１８、レギュラーモードで機能選択領域２０００を表示するレギュラーモード移行ボタン２０２０、及び、エキスプレスモードで機能選択領域２０００を表示するエキスプレスモード移行ボタン２０２２が配置されている。
【００７７】
尚、機能選択領域２０００に表示される情報が多い場合には、この機能選択領域２０００において上下方向に移動表示可能に情報が表示される。この場合において、この変更ボタン群２０１０は移動表示されないで、機能選択領域２０００の最下部に常に表示される。
【００７８】
プレビュー領域３０００には、原稿の出力（仕上がり）イメージが表示される。ダミーデータまたはスキャンデータを用いてイメージ表示し、ユーザが仕上りを変更する毎にプレビュー領域３０００に表示されているイメージが変更される。このプレビュー領域３０００においては、スキャン前のバーチヤルモードでのダミーイメージでの仕上り表示、スキャン後のスキャンインモードでの実イメージでの仕上り表示の２つのモードを有し、さらにバーチヤルモードには、原稿セット前及び原稿セット後の２種類がある。
【００７９】
このプレビュー領域３０００には、その下部にプレビュー領域３０００の表示スタイルを変更するプレビュー変更ボタン群３０１０を備える。プレビュー変更ボタン群３０１０には、プレビューを左に９０度回転させる左回転ボタン３０１６、プレビューを右に９０度回転させる右回転ボタン３０１８、ズームバー３０２０が配置されている。これら以外にも、例えばカラー変更ボタン３０１２及びプレビュー操作ボタン３０１４が配置されている。
【００８０】
ここで、左回転ボタン３０１６を１回タッチ操作するとプレビューが左に９０度回転されて、２回タッチ操作するとプレビューが左に１８０度回転される（上下反転）。また、プレビュー領域に表示された仕上り原稿イメージをジェスチャー操作しても（指先で原稿イメージを反時計回転方向に１８０度回転させても）、プレビューが左に１８０度回転されて上下反転される。
【００８１】
右回転ボタン３０１８を１回タッチ操作するとプレビューが右に９０度回転されて、２回タッチ操作するとプレビューが右に１８０度回転される（上下反転）。また、プレビュー領域に表示された仕上り原稿イメージをジェスチャー操作しても（指先で原稿イメージを時計回転方向に１８０度回転させても）、プレビューが右に１８０度回転されて上下反転される。
【００８２】
ズームバー３０２０のプラスボタン３０２０Ａをタッチ操作したり、バ−３０２０Ｃをプラスボタン３０２０Ａ側へジェスチャー操作（ドラッグまたはスライド）したりすると、プレビューが拡大して表示される。また、プレビュー領域に表示された仕上り原稿イメージをジェスチャー操作しても（指先で原稿イメージをピンチアウト／ピンチオープンさせても）、プレビューが拡大して表示される。
【００８３】
ズームバー３０２０のマイナスボタン３０２０Ｂをタッチ操作したり、バ−３０２０Ｃをマイナスボタン３０２０Ｂ側ヘジェスチャー操作（ドラッグまたはスライド）したりすると、プレビューが縮小して表示される。また、プレビュー領域に表示された仕上り原稿イメージをジェスチャー操作しても（指先で原稿イメージをピンチイン／ピンチクローズさせても）、プレビューが縮小して表示される。
【００８４】
尚、プレビュー領域３０００に表示される原稿イメージのページ数が多い場合には、タッチ操作可能な表示ページ選択ボタン（ページ番号入力ボタン、ページ送りボタン、ページ戻しボタン、単ページ表示ボタン、複数ページ表示ボタン等）を表示するようにしても構わない。尚、原稿イメージをスライドタッチ（フリック操作）してもプレビューされる原稿のページ送り、ページ戻しを行うことができる。また、プレビュー領域３０００に表示される原稿イメージが大きい場合には、タッチ操作またはジェスチャー操作可能なスクロールバーを表示するようにしても構わない。
【００８５】
アクションパネル領域４０００には、操作についての補助・助言・提案についての情報が表示される。このアクションパネル領域４０００には、例えば、あるユーザが特定の機能を選択すると、その機能に関連する機能を表示したり、目的指向でその機能についての他の機能を表示したり、このユーザまたはこのユーザが所属するグループのユーザが過去に組み合わせて選択した機能を「おすすめ機能」として表示したりする。
【００８６】
タスクトリガー領域５０００には、その動作モードにおける全ての設定が完了して、この画像形成装置１００を実際に動作させるためにユーザにより操作されるトリガー一項目が表示される。例えば、処理を開始させるためのスタートボタン（ソフトウェアボタン）である。尚、印字を伴う動作モード（ファクス送信以外）において、消耗品切れについての情報も、タスクの実行不可に関連するので、この「タスクトリガー領域」に表示される。
【００８７】
この場合において、スタートボタンが押下できる状態の場合にのみ、スタートボタンを表示することも好ましい。スタートボタンが押下できる状態とは、印字を伴う動作モードの場合には、全ての設定が終了してかつ消耗品（記録用紙およびトナー）切れでない状態であって、印字を伴わない動作モードであるファクシミリモード（送信）の場合には、宛先を含む全ての送信パラメータの設定が終了した状態である。
【００８８】
これらの５領域は、動作モードが変更されても（どの動作モードの初期画面においても、その配置された位置は変更されない。また、機能選択領域２０００（およびプレビュー領域３０００）におけるアイコンモード／レギュラーモード／エキスプレスモードの切り換え表示のように、領域はタッチパネルディスプレイ１３０の画面横方向（長手方向）に伸縮してサイズが変化する。
【００８９】
このような５領域の配置は、従来機におけるユーザインターフェイスをも考慮しつつ、ユーザの視点の動線及び操作の動線に着目して配置されている。このような配置により、タッチパネルディスプレイ１３０において、左上から右下へユーザの視線が動いて、左上から右下へユーザの操作（利き手の指先）が動く。
【００９０】
尚、ある動作モードから他の動作モードへ遷移するためには、ホームキー１４８を押下して、ホーム画面において他の動作モードを選択する。このように、ホーム画面を経由して、動作モードが切り換えられる。
【００９１】
（コピーモードの初期画面表示動作）
コピーモードが選択されると、ハードディスク３０２等から読出したコピー初期画面データを用いてタッチパネルディスプレイ１３０にコピーモードの初期画面が表示される。
このとき、例えば、タッチパネルディスプレイ１３０には、図５に示すように、コピーモード初期画面７１００が表示される。コピーモード初期画面７１００は、上述したレイアウト構成の５領域に分割されて情報が表示される。
【００９２】
コピーモード初期画面７１００のシステム領域１０００には、図５に示すように、選択されている動作モード（ここではコピーモード）を示すエリア１１０２、選択された動作モードに付随するサブ情報を表示するエリア１１０４、ログインユーザ名を表示するエリア１１０６、ログアウトボタン（ソフトウェアボタン）が表示されるエリア１１０８、現在実行中のジョブ状況を表示するエリア１１１０、ジョブ状況に関係するボタン（ソフトウェアボタン）が表示されるエリア１１１２、通信状態が表示されるエリア１１１４、現在時刻が表示されるエリア１１１６が配置されている。
【００９３】
エリア１１０２には、動作モードを示す名称または／及びアイコンが表示される。
このエリア１１０２をタッチ操作、タップ操作またはダブルタップ操作すると、動作モードを示すメニューがプルダウン表示されて動作モードを切り換えることができるようにすることも好ましい（他の動作モードにおいても同じ）。
【００９４】
エリア１１０４には、サブ情報として、割り込みキー（ソフトウェアボタン）が表示される。この割り込みキーをタッチ操作、タップ操作またはダブルタップ操作すると、コピーモードにおいて割り込み処理を実行することができる。
【００９５】
エリア１１１２には、現在実行中のジョブ状況がアイコンで表示される。このジョブ状況をタッチ操作、タップ操作またはダブルタップ操作すると、詳細なジョブ状況情報が表示される。さらに、エリア１１１２には、選択されたジョブを停止させるボタン等を表示することも好ましい。
【００９６】
コピーモード初期画面７１００の機能選択領域２０００には、コピーモードにおいてユーザが選択できる機能選択メニュー２１００及び上述した変更ボタン群２０１０が表示されている。図５に示す画面では、レギュラーモードで機能選択メニューが表示されている。
【００９７】
図５に示すように、レギュラーモードで表示される機能選択メニューは、アイコン群２１００とテキスト群２１２０とで構成される。この機能選択領域２０００に表示される機能選択メニューとして、コピー部数を設定するアイコン２１０２及び設定された内容を表示するテキス卜２１２２、カラーモードを設定するアイコン２１０４及び設定された内容を表示するテキスト２１２４、コピー濃度を設定するアイコン２１０６及び設定された内容を表示するテキスト２１２６、コピー倍率を設定するアイコン２１０８及び設定された内容を表示するテキスト２１２８、原稿の種類を設定するアイコン２１１０及び設定された内容を表示するテキスト２１３０、用紙の種類を設定するアイコン２１１２及び設定された内容を表示するテキスト２１３２、画像を編集するアイコン２１１４及び設定された内容を表示するテキスト２１３４、レイアウトを編集するアイコン２１１６及び設定された内容を表示するテキスト２１３６が表示されている。
【００９８】
尚、上述したように、これらの機能設定メニューにおけるさらなる項目は、変更ボタン群２０１０の表示位置を固定した状態で、上下方向に移動表示可能に表示することができる。そして、上下方向に隠れて表示されていない項目を含めて機能設定メニューの表示項目を切り換えることは、タッチ操作（スクロール操作）でもジェスチャー操作（上下方向へフリック操作）の何れの操作でも可能である。
【００９９】
ここで、画像編集とは、１ページの原稿に対する画像編集であって、さらに下位の階層メニューとして、枠消去、印字メニュー、ウォータマーク、ユーザスタンプ等があり、レイアウト編集とは、複数ページの原稿に対する画像編集であって、さらに下位の階層メニューとして、ページ集約、綴じしろ、ページ移動、センタリング等がある。これらのさらなる下位メニューは、アイコン２１０２〜アイコン２１１６またはテキスト２１２２〜テキス卜２１３６をタッチ操作、タップ操作またはダブルタップ操作すると、タッチパネルディスプレイ１３０に表示される。
【０１００】
コピーモード初期画面７１００のプレビュー領域３０００には、原稿の出力（仕上がり）イメージ３１００及び上述したプレビュー変更ボタン群３０１０が配置されている。このとき、ダミーデータまたはスキャンデータを用いてイメージ３１００が表示され、ユーザが機能選択領域２０００の機能設定メニューを変更する毎に、イメージ３１００が変更されてプレビュー領域３０００に表示される（プレビューの表示が変更）。
【０１０１】
コピーモード初期画面７１００のアクションパネル領域４０００には、コピー操作についての補助・助言・提案についての情報が表示されている。ここでは、図５に示すように、このユーザが選択したコピーモードにおけるおすすめ機能が表示される。このとき、アクションパネル領域４０００は、表示されている情報の内容を示すエリア４１００、それ自体がソフトウェアボタンとしておすすめ機能をテキスト表示するエリア４１０２〜エリア４１０６が配置されている。
【０１０２】
エリア４１０２をタッチ操作、タップ操作またはダブルタップ操作すると、省エネコピーについてのさらに詳細な情報がプルダウン表示される。例えば、このとき、「両面印刷すると用紙を節約できます」というテキストとともに両面コピーの機能設定画面へ遷移するソフトウェアボタンと、「複数の原稿を集約して印刷すると用紙を節約できます」というテキストとともにページ集約の機能設定画面へ遷移するソフトウェアボタンと、「本のように綴じられるように印刷することができます」というテキストとともに中綴じの機能設定画面へ遷移するソフトウェアボタンとが、表示される。
【０１０３】
コピーモード初期画面７１００のタスクトリガー領域５０００には、実行ボタン群５１００が表示される。この実行ボタン群５１００として、原稿をスキャンして画像データを取得するように画像形成装置１００を作動させるスキャンインキー（ソフトウェアボタン）５１０２、設定した機能をクリアするクリアオールキー（ソフトウェアボタン）５１０４、原稿をスキャンしてモノクロコピーを実行するように画像形成装置１００を作動させるモノクロスタートキー（ソフトウェアボタン）５１０６、原稿をスキャンしてカラーコピーを実行するように画像形成装置１００を作動させる力ラースタートキー（ソフトウェアボタン）５１０８が配置されている。
【０１０４】
尚、ファクシミリモードの場合は、モノクロスタートキー５１０６、力ラースタートキー５１０８の換わりにスタートキー５１１０が表示される（図１３を参照）。
【０１０５】
このように、５つの領域に分割して情報が表示されたコピーモード初期画面７１００において、ユーザが要求を入力すると、その要求に従ってコピー処理が実行される。
【０１０６】
次に、機能選択領域２０００をアイコンモードで表示してプレビュー領域３０００を広げた場合の、プレビューページの変更動作について説明する。
【０１０７】
図６に示すように、プレビューのイメージ３１１８が表示されている場合において、ユーザが、プレビュー表示された画面をユーザが左へフリックすると、入力軌跡が分析される。このとき、このユーザによるジェスチャー操作はページをめくる要求であると分析されて、フリックした方向に応じた表示されていない別のページを含むプレピューイメージが表示される。
【０１０８】
また、このようにプレビューイメージが表示されるページを移動させるには、ページ送りボタン３１１８Ｇ、ページ早送りボタン３１１８Ｈ、ページ戻しボタン３１１８Ｅ、ページ早戻しボタン３１１８Ｄをタッチ操作しでも可能である。さらに、ページ直接指定ボタン３１１８Ｆをタッチして直接移動させたいページを入力することにより、プレビューイメージが表示されるページを移動させることも可能である。
【０１０９】
このように、機能選択領域２０００がアイコンモードで表示されると、プレビュー領域３０００が広がり、図６に示すように、ユーザの視認性及びユーザの操作性が高まるように、プレビューイメージを表示することができる。特に、タッチ操作またはジェスチャー操作により、表示させたいプレビューイメージまで移動して、所望のプレビューを表示させることができる。
【０１１０】
尚、図６に示すごみ箱アイコン３１１８Ａは、選択したページをごみ箱アイコン３１１８Ａまでドラッグすることによりそのページを削除することができる。
【０１１１】
また、１ページ表示アイコン３１１８Ｂを押下することにより、例えば３ページ表示していたプレビューが１ページ表示になり（このとき１ページ分を大きく表示）、複数ページ表示アイコン３１１８Ｃを押下することにより、例えば、１ページ表示していたプレビューが３ページ表示になる。
【０１１２】
次に、本実施形態の画像形成装置１００の特徴的な構成について図面を参照して説明する。
図７は本実施形態の画像形成装置のタッチパネルディスプレイを構成する表示パネルの表示態様を示す説明図、図８は前記タッチパネルディスプレイのプレビュー表示領域の表示態様の一例を示す説明図である。
【０１１３】
本実施形態の画像形成装置１００は、図７に示すように、タッチパネルディスプレイ１３０において、プレビュー領域３０００が画面中央部に配置され、そのプレビュー領域３０００の左側に機能選択領域２０００が配置される。また、プレビュー領域３０００の右上部にアクションパネル領域４０００が配置され、そのアクションパネル領域４０００の下部にタスクトリガー領域５０００が配置される。
【０１１４】
タッチパネルディスプレイ１３０は、図８に示すように、プレビュー領域３０００が拡大された状態で、アクションパネル領域４０００に相当する位置に第１の表示領域１５１が形成され、プレビュー領域３０００内の略中央部に第１の表示領域１５１よりも広い範囲で第２の表示領域１５２が形成されている。
【０１１５】
第１の表示領域１５１には、入力された画像データに基づき生成された表示画像が表示される。第２の表示領域１５２には、第１の表示領域１５１に表示された表示画像を第１の表示領域１５１に表示した後に表示される。
【０１１６】
第１の表示領域１５１と第２の表示領域１５２とは隣接して配置されている。
第１の表示領域１５１と第２の表示領域１５２との間には、それらの領域の境界を示す境界ライン１６１が表示されている。
【０１１７】
境界ライン１６１は、原稿読込時における「画面案内表示」を行うときに、第１の表示領域１５１に表示される原稿画像が読込まれる動作を行う読取りラインであって、原稿読取部１０２により原稿が読込まれる状況をタッチパネルディスプレイ１３０上で簡易的に表現するものである。本実施形態では、境界ライン１６１は、タッチパネルディスプレイ１３０の上下方向に直線的な緑色のラインで表示される。
【０１１８】
さらに、タッチパネルディスプレイ１３０には、プレビュー領域３０００に表示される表示画像を表示パネル１３２の左側端部に向って移動表示する基準位置となる出力ライン（表示基準部）１７１が表示されている。
【０１１９】
出力ライン１７１は、画像出力時における「画面案内表示」を行うときに、第２の表示領域１５２に表示された画像が出力される際の表示パネル１３２上での基準となるラインであって、画像出力手段１０７（図９を参照）により画像出力される状況をタッチパネルディスプレイ１３０上で簡易的に表現するものである。本実施形態では、出力ライン１７１は、タッチパネルディスプレイ１３０の上下方向に直線的な黄色のラインで表示される。
【０１２０】
タスクトリガー領域５０００は、プレビュー領域３０００を拡大して表示されるときには、縮小化されることなく、プレビュー領域３０００の右下部で境界ライン１６１付近に常に表示される。
【０１２１】
タスクトリガー領域５０００には、実行ボタン群５１００が表示される。
実行ボタン群５１００として、スキャンインキー５１０２、クリアオールキー５１０４、モノクロスタートキー５１０６、力ラースタートキー５１０８が配置されている。
【０１２２】
スキャンインキー５１０２は、図８に示すように、スキャンインの指示により原稿をスキャンして画像データの取得が開始されると、装置の動作を中断する（読込を中止する）中断キー（操作キー）５１０９に変更されて表示される。
【０１２３】
次に、本実施形態の画像形成装置１００における操作ユニット１２０の特徴的な画面表示に係る電気的構成について図面を参照して説明する。
図９は本実施形態の画像形成装置における操作ユニットの電気的構成を示すブロック図、図１０は前記操作ユニットを構成するタッチパネルディスプレイの構成を示すブロック図である。
【０１２４】
本実施形態に係る操作ユニット１２０は、図９に示すように、表示パネル１３２、タッチパネル１３４に加えて、操作位置検出手段１３５、画面表示手段１３６、表示画像生成手段１３７及び操作ユニット１２０における処理・動作を制御する操作ユニット側制御部（表示制御手段）１３１を備えている。
【０１２５】
画像形成装置１００は、画像データを入力する原稿読取部１０２、画像処理手段１０３、原稿読取部１０２から入力される画像データを蓄積する蓄積手段１０５、プリンタや送信部などの画像を出力する画像出力手段１０７を備えて、主制御部１０１により動作制御される。
【０１２６】
操作位置検出手段１３５は、タッチパネル１３４上で行われる操作位置を検出する。
画面表示手段１３６は、表示画像生成手段１３７により形成された画像を表示パネル１３２上に表示する。また、画面表示手段１３６は、画像出力手段１０７による画像出力（ＦＡＸ送信）が開始されるときに、表示画像生成手段１３７により生成された表示画像を表示パネル１３２に表示する機能を備えている。
【０１２７】
表示画像生成手段１３７は、画像形成装置１００本体に入力された画像データに基づき操作ユニット側制御部１３１からの指示により所定の画像を形成する。そして、表示画像生成手段１３７は、複数の動作モードの中から選択された動作モードに対応して、蓄積手段１０５に蓄積された画像データの色調を制御した表示画像を生成する機能（表示画像色調制御機能）を備えている。
【０１２８】
具体的には、表示画像生成手段１３７は、例えば、選択された動作モードがコピーモードの場合は、蓄積手段１０５に蓄積された画像データがカラーの画像データのときは、蓄積手段１０５に蓄積された画像データの色調を制御してカラーの表示画像を生成するようにされている。
【０１２９】
一方、選択された動作モードがファクシミリモードの場合は、出力される画像がモノクロ画像となるため、蓄積手段１０５に蓄積された画像データがカラーの画像データであっても、蓄積手段１０５に蓄積された画像データの色調を制御してモノクロの表示画像を生成するようにされている。
【０１３０】
操作ユニット側制御部１３１は、画像形成装置１００本体の主制御部１０１に接続され、タッチパネルディスプレイ１３０における制御部として機能する。
【０１３１】
ここで、操作ユニット側制御部１３１について詳細に説明する。
操作ユニット側制御部１３１は、図１０に示すように、表示パネル１３２に複数ページの原稿画像をプレビュー表示するプレビュー表示機能と、プレビュー表示された複数ページの原稿画像を移動表示するスクロール表示機能と、原稿読取部１０２から入力される画像データの入力状況を表示パネル１３２上に表示して案内する入力状況案内機能と、画像出力手段１０７から出力される画像の出力状況を表示パネル１３２上に表示して案内する出力状況案内機能を備えている。
【０１３２】
また、操作ユニット側制御部１３１は、表示パネル１３２上に表示画像を表示する表示画像表示手段１３１０として、表示画像生成手段１３７により生成された表示画像を第１の表示領域１５１に表示する第１の表示領域表示手段１３１１と、第１の表示領域１５１に表示された表示画像を第２の表示領域１５２に向って移動表示させた後に第２の表示領域１５２に表示する第２の表示領域表示手段１３１２とを備えている。
【０１３３】
さらに、操作ユニット側制御部１３１は、プレビュー表示機能として、入力された画像を確認するためのプレビュー機能（入力画像プレビュー表示機能）を備えている。
そして、入力画像プレビュー表示時には、蓄積手段１０５に蓄積された画像データに基づき色調を変更することなく表示画像を生成し、この生成された表示画像をタッチパネルディスプレイ１３０上の表示パネル１３２にプレビュー表示するようにされている。
【０１３４】
また、操作ユニット側制御部１３１は、プレビュー表示機能として、複数の動作モードのうちから選択された動作モードに対応した表示画像を表示パネル１３２にプレビュー表示するようにされている（動作モード対応プレビュー表示機能）。
【０１３５】
操作ユニット側制御部１３１は、複数の動作モードが同時に設定された場合は、複数の動作モードのうちの１つの動作モードを主モードとして設定し、表示画像生成手段１３７により主モードに対応して蓄積手段１０５に蓄積された画像データの色調を制御して生成された表示画像をタッチパネルディスプレイ１３０上の表示パネル１３２にプレビュー表示するようにされている。
【０１３６】
操作ユニット１２０は、コピーモードとファクシミリモードとを含む複数の動作モードを同時に設定可能に構成されている。
【０１３７】
例えば、主モードとしてコピーモードが設定された場合は、表示画像生成手段１３７は、蓄積手段１０５に蓄積された画像データに基づく表示画像をカラー画像として生成し、操作ユニット側制御部１３１は、表示画像生成手段１３７により生成されたカラー画像を表示パネル１３２にプレビュー表示するようにされている。
【０１３８】
また、主モードとしてファクシミリモード（またはインターネットファクシミリモード）が設定された場合は、表示画像生成手段１３７は、蓄積手段１０５に蓄積された画像データに基づく表示画像をモノクロ画像として生成し、操作ユニット側制御部１３１は、表示画像生成手段１３７に生成されたモノクロ画像を表示パネル１３２にプレビュー表示するようにされている。
【０１３９】
本実施形態では、原稿読取部１０２による画像データの入力は、原稿読取部１０２の最大能力（フルカラー、高解像度）で入力するようにされている。
【０１４０】
ここで、本実施形態の画像形成装置１００において、複数の動作モードのうちの２つの動作モードを同時に設定した場合について説明する。
図１１は本実施形態の画像形成装置の動作モードにおける表示条件に応じたプレビュー画像を示す表である。
【０１４１】
画像形成装置１００において、動作モードとして、コピーモード、ファクシミリモード、インターネットファクシミリモード、Ｅメールモード、保存モードが設定可能に構成されている。
【０１４２】
これらの複数の動作モードのうちの２つの動作モードが選択されて、一方の動作モードを主モードとし、他方の動作モードを副モードとして設定されている。
【０１４３】
具体的には、主モードと副モードとの関係は、図１１に示すように、主モードをコピーモード、ファクシミリモード（インターネットファクシミリモード）、Ｅメールモードとしたときに、副モードはそれぞれ主モードと異なる動作モードに設定されている。
【０１４４】
そして、それぞれの動作モードに対応して、表示画像生成手段１３７により蓄積手段１０５に蓄積された画像データの色調を制御した表示画像を生成してプレビュー表示するように構成されている。
【０１４５】
コピーモードが主モードで設定される場合は、副モードとしてファクシミリモード、インターネットファックスモード、保存モード、Ｅメールモードが設定され、読込み中のプレビュー表示はカラー画像、仕上りプレビュー表示は機能設定による画像（初期はカラー画像に設定）、原稿プレビュー表示はカラー画像でそれぞれ表示される。
【０１４６】
ファクシミリモード（ＦＡＸモード）またはインターネットファクシミリモード（Ｉ−ＦＡＸモード）が主モードで設定される場合は、副モードとしてコピーモード、保存モード、Ｅメールモードが設定され、読込み中のプレビュー表示はモノクロ画像、仕上りプレビュー表示はモノクロ画像、原稿プレビュー表示はカラー画像でそれぞれ表示される。
【０１４７】
Ｅメールモードが主モードで設定される場合は、副モードとしてファクシミリモード、インターネットファックスモード、保存モード、コピーモードが設定され、読込み中のプレビュー表示はカラー画像、仕上りプレビュー表示は機能設定による画像（初期はカラー画像に設定）、原稿プレビュー表示はカラー画像でそれぞれ表示される。
【０１４８】
以上のように構成したので、それぞれの動作モードにおいて、設定された主モードに応じてそれぞれのプレビュー表示に対応してカラー画像やモノクロ画像によって表示される。これにより、それぞれの動作モードにおいて最適な表示画像がプレビュー表示されるので、出力される画像を容易に確認できる。
【０１４９】
尚、上記例では、動作モードとして主モードと副モードによる複数の動作モードを設定しているが、副モードを設定しなければ、単独の動作モードに対応して蓄積手段１０５に蓄積された画像データの色調を制御して最適な表示画像を設定するものとして対応できることは言うまでもない。
【０１５０】
次に、本実施形態の画像形成装置１００のタッチパネルディスプレイ１３０上における原稿読取り時に表示されるプレビュー表示について、フローチャートに沿って説明する。
図１２は本実施形態の画像形成装置において原稿読取部による原稿読取状況をタッチパネルディスプレイ上でプレビュー表示を行うときの動作の一例を示すフローチャートである。
【０１５１】
図１２に示すように、画像形成装置１００において、タッチパネルディスプレイ１３０上に表示されるスキャンインキー５１０２がタッチされることにより読取り開始が指示され（ステップＳ１）、原稿サイズがＡ４縦またはＢ５縦であるかが判断される（ステップＳ２）。
【０１５２】
ステップＳ２で原稿サイズがＡ４縦またはＢ５縦であると判断された場合、原稿読取部１０２により原稿画像が読取られて画像データとして蓄積手段１０５に記憶される（ステップＳ３）。
【０１５３】
そして、蓄積手段１０５に記憶された画像データに基づき表示画像生成手段１３７により縮小されたカラー画像とモノクロ画像の表示画像が生成される（ステップＳ４）。
【０１５４】
そして、出力形態がＦＡＸ送信であるか否かが判断され（ステップ５）、ステップＳ５でＦＡＸ送信であると判断された場合は、タッチパネルディスプレイ１３０上にモノクロ画像がプレビュー表示される（ステップＳ６）。
【０１５５】
一方、ステップ５でＦＡＸ送信ではない判断された場合は、タッチパネルディスプレイ１３０上にカラー画像がプレビュー表示される（ステップＳ７）。
【０１５６】
ステップＳ２に戻って、ステップＳ２で原稿サイズがＡ４縦またはＢ５縦であると判断されなかった場合は、ステップＳ８に進み、原稿読取部１０２により原稿画像が読取られて画像データとして蓄積手段１０５に記憶される。そして、蓄積手段１０５に記憶された画像データに基づき表示画像生成手段１３７により縮小されたカラー画像とモノクロ画像の表示画像が生成される（ステップＳ９）。
【０１５７】
そして、出力形態がＦＡＸ送信であるか否かが判断され（ステップ１０）、ステップＳ１０でＦＡＸ送信であると判断された場合は、タッチパネルディスプレイ１３０上にモノクロ画像がプレビュー表示される（ステップＳ１１）。
【０１５８】
一方、ステップ５でＦＡＸ送信ではない判断された場合は、タッチパネルディスプレイ１３０上にカラー画像がプレビュー表示される（ステップＳ１２）。
【０１５９】
このようにして、原稿読取りが行われたときには、動作モードに応じて、選択された動作モードがＦＡＸ送信の場合には、表示画面にはモノクロ画像がプレビュー表示され、その他の出力態様（例えば、プリンタ出力やカラーコピー）の場合には、表示画面にはカラー画像がプレビュー表示されるので、読取った時点で実際に送信する白黒の画像で即座に確認できる。
【０１６０】
次に、本実施形態の画像形成装置１００のタッチパネルディスプレイ１３０上における原稿読取り時のプレビュー表示について、具体的に例を挙げて図面を参照して説明する。
【０１６１】
（実施例１）
まず、画像形成装置１００において、原稿をＡ４縦送りにセットして原稿読取及び画像出力を行う場合について説明する。
図１３〜図２９は本実施形態の画像形成装置において原稿をＡ４縦送りで行う場合の原稿読取時のタッチパネルディスプレイ上に表示されるプレビュー画像の表示状態を示す説明図である。
【０１６２】
まず、画像形成装置１００において、原稿を読取るときのタッチパネルディスプレイ１３０に表示される表示画像（読取られた画像）の案内表示について説明する。
【０１６３】
画像形成装置１００において、原稿は、原稿読取部１０２にＡ４縦送りにセットされている。原稿を読取る場合は、タッチパネルディスプレイ１３０に表示されたホーム画面においてユーザがファクシミリモードを選択して、図１３に示すように、スキャンインキー５１０２をタッチして原稿の読込みを開始する。
【０１６４】
スキャンインキー５１０２により原稿の読取りが指示されると、図１４に示すように、タッチパネルディスプレイ１３０の機能設定領域２０００とアクションパネル領域４０００の表示情報が左右両サイドに矢印方向にそれぞれ引き込まれて、プレビュー領域３０００が拡張され、プレビュー領域３０００内に設定される第１の表示領域１５１と第２の表示領域１５２との境界を示す境界ライン１６１が表示される。この境界ライン１６１は、原稿読取部１０２により原稿が読込まれる状況をタッチパネルディスプレイ１３０上で簡易的に表現するものであるため、以下「読取りライン」と称する。
【０１６５】
原稿が原稿読取部１０２に読取られると、読取られた１枚目の原稿の画像データから表示画像生成手段１３７により縮小された表示画像が生成されて、図１５に示すように、読取りライン１６１の右側の第１の表示領域１５１に１枚目の画像Ｐ１が表示される。このとき、動作モードとしてファクシミリモードが選択されているので、プレビュー表示される画像は全てモノクロ画像で表示される。
【０１６６】
１枚目の画像Ｐ１は、第２の表示領域１５２に向って、すなわち読取りライン１６１に向って（右側から左側に向って）徐々に画像が明瞭となるように表示されている。
【０１６７】
第１の表示領域１５１に表示された１枚目の画像Ｐ１は、図１６に示すように、読取りライン１６１に向って移動して、図１７に示すように、読取りライン１６１を通って読取りライン１６１の左側の第２の表示領域１５２に移動して表示される。そして、１枚目の画像Ｐ１は、図１８に示すように、第２の表示領域１５２において、時計回り方向に９０°回転移動して、図１９に示すように、Ａ４縦位置で配置される。
【０１６８】
このとき、第１の表示領域１５１には、原稿読取部１０２に読取られた２枚目の原稿の画像データから表示画像生成手段１３７により生成された２枚目の画像Ｐ２が縮小されて表示される。
【０１６９】
第１の表示領域１５１に表示される２枚目の画像Ｐ２は、第２の表示領域１５２に向って、すなわち読取りライン１６１に向って（右側から左側に向って）徐々に画像が明瞭となるように表示されている。
【０１７０】
そして、第１の表示領域１５１に表示された２枚目の画像Ｐ２は、図２０に示すように、読取りライン１６１に向って移動して、読取りライン１６１を通って読取りライン１６１の左側の第２の表示領域１５２に移動して表示される。
【０１７１】
そして、２枚目の画像Ｐ２は、図２１に示すように、１枚目の画像Ｐ１の背後に重ねて配置され、図２２に示すように、時計回り方向に９０°回転移動して、図２３に示すように、Ａ４縦位置で配置される。このとき、２枚目の画像Ｐ２は、表示画面上で存在が確認できるように一部を１枚目の画像Ｐ１の下から露出した状態で配置される。
【０１７２】
そして、このとき、第１の表示領域１５１には、原稿読取部１０２に読取られた３枚目の原稿の画像データから表示画像生成手段１３７により生成された３枚目の画像Ｐ３が縮小されて表示される。
【０１７３】
第１の表示領域１５１に表示される３枚目の画像Ｐ３は、第２の表示領域１５２に向って、すなわち読取りライン１６１に向って（右側から左側に向って）徐々に画像が明瞭となるように表示されている。
【０１７４】
そして、第１の表示領域１５１に表示された３枚目の画像Ｐ３は、読取りライン１６１に向って移動して、図２４に示すように、読取りライン１６１を通って読取りライン１６１の左側の第２の表示領域１５２に移動して表示される。
このとき、３枚目の画像Ｐ３は、図２５に示すように、２枚目の画像Ｐ２の背後にさらに重ねて配置され、図２６に示すように、時計回り方向に９０°回転移動して、図２７に示すように、Ａ４縦位置で配置される。このとき、３枚目の画像Ｐ３は、表示画面上で存在が確認できるように一部を２枚目の画像Ｐ２の下から露出した状態で配置される。
【０１７５】
以上のように、原稿読取部１０２により読取られた原稿の表示画像の表示と移動が繰り返されて、図２７に示すように、全ての原稿のスキャンインによる事前読込が完了すると、図２８，図２９に示すように、機能設定領域２０００とアクションパネル領域４０００の表示がもとの状態に戻されるとともに、読取りライン１６１が消去される。
【０１７６】
このようにして、ファクシミリモードにおいて原稿がＡ４縦送りで読取られる状況をタッチパネルディスプレイ１３０上で容易に確認することができ、ＦＡＸ送信される画像がモノクロ画像であることが容易に確認することができる。
【０１７７】
（実施例２）
次に、画像形成装置１００において、原稿をＡ４横送りにセットして原稿読取及び画像出力を行う場合について説明する。
図３０〜図３９は本実施形態の画像形成装置において原稿をＡ４縦送りで行う場合の原稿読取時のタッチパネルディスプレイ上に表示されるプレビュー画像の表示状態を示す説明図である。
【０１７８】
まず、画像形成装置１００において、原稿を読取るときのタッチパネルディスプレイ１３０に表示される表示画像の案内表示について説明する。
【０１７９】
画像形成装置１００において、原稿は、原稿読取部１０２にＡ４横送りにセットされている。原稿を読取る場合は、タッチパネルディスプレイ１３０に表示されたホーム画面においてユーザがファクシミリモードを選択して、図３０に示すように、スキャンインキー５１０２をタッチして原稿の読込みを開始する。
【０１８０】
スキャンインキー５１０２により原稿の読取りが指示されると、図３１に示すように、タッチパネルディスプレイ１３０の機能設定領域２０００とアクションパネル領域４０００の表示情報が左右両サイドに矢印方向にそれぞれ引き込まれて、プレビュー領域３０００が拡張され、プレビュー領域３０００内に設定される第１の表示領域１５１と第２の表示領域１５２との境界を示す読取りライン１６１が表示される。
【０１８１】
原稿が原稿読取部１０２に読取られると、読取られた１枚目の原稿の画像データから表示画像生成手段１３７により縮小された表示画像が生成されて、図３２に示すように、読取りライン１６１の右側の第１の表示領域１５１に１枚目の画像Ｐ１１が表示される。このとき、動作モードとしてファクシミリモードが選択されているので、プレビュー表示される画像は全てモノクロ画像で表示される。
【０１８２】
１枚目の画像Ｐ１１は、第２の表示領域１５２に向って、すなわち読取りライン１６１に向って（右側から左側に向って）徐々に画像が明瞭となるように表示されている。
【０１８３】
第１の表示領域１５１に表示された１枚目の画像Ｐ１１は、図３３に示すように、読取りライン１６１に向って移動して、図３４に示すように、読取りライン１６１を通って読取りライン１６１の左側の第２の表示領域１５２に移動して表示される。
このとき、第１の表示領域１５１には、原稿読取部１０２に読取られた２枚目の原稿の画像データから表示画像生成手段１３７により生成された２枚目の画像Ｐ１２が縮小されて表示される。
【０１８４】
第１の表示領域１５１に表示される２枚目の画像Ｐ１２は、第２の表示領域１５２に向って、すなわち読取りライン１６１に向って（右側から左側に向って）徐々に画像が明瞭となるように表示されている。
【０１８５】
そして、第１の表示領域１５１に表示された２枚目の画像Ｐ１２は、図３５に示すように、読取りライン１６１に向って移動して、図３６に示すように、読取りライン１６１を通って読取りライン１６１の左側の第２の表示領域１５２に移動して表示される。
このとき、２枚目の画像Ｐ１２は、１枚目の画像Ｐ１１の背後に重ねて配置され、２枚目の画像Ｐ１２の存在が確認できるように一部を１枚目の画像Ｐ１１の下から露出した状態で配置される。
【０１８６】
そして、このとき、第１の表示領域１５１には、原稿読取部１０２に読取られた３枚目の原稿の画像データから表示画像生成手段１３７により生成された３枚目の画像Ｐ１３が縮小されて表示される。
【０１８７】
第１の表示領域１５１に表示される３枚目の画像Ｐ１３は、第２の表示領域１５２に向って、すなわち読取りライン１６１に向って（右側から左側に向って）徐々に画像が明瞭となるように表示されている。
【０１８８】
そして、第１の表示領域１５１に表示された３枚目の画像Ｐ１３は、読取りライン１６１に向って移動して、図３７に示すように、読取りライン１６１を通って読取りライン１６１の左側の第２の表示領域１５２に移動して表示される。そして、３枚目の画像Ｐ１３は、２枚目の画像Ｐ１２の背後にさらに重ねて配置され、３枚目の画像Ｐ１３の存在が確認できるように一部を２枚目の画像Ｐ１２の下から露出した状態で配置される。
【０１８９】
以上のように、原稿読取部１０２により読取られた原稿の表示画像の表示と移動が繰り返されて、全ての原稿のスキャンインによる事前読込が完了すると、図３８，図３９に示すように、機能設定領域２０００とアクションパネル領域４０００の表示がもとの状態に戻されるとともに、読取りライン１６１が消去される。
【０１９０】
このようにして、ファクシミリモードにおいて、原稿をＡ４横送りにセットした場合に原稿がＡ４横送りで読取られる状況をタッチパネルディスプレイ１３０上で容易に確認することができ、ＦＡＸ送信される画像がモノクロ画像であることが容易に確認することができる。
【０１９１】
以上のように構成したので、本実施形態によれば、画像形成装置１００において、表示画像生成手段１３７により、複数の動作モードの中から選択された動作モードに対応して、蓄積手段１０５に蓄積された画像データの色調を制御した表示画像を生成して、操作ユニット側制御部１３１により、選択された動作モードに対応した表示画像を表示パネル１３２にプレビュー表示するようにしたので、ファクシミリモードやインターネットファクシミリモードが単独で、もしくは複数の動作モードが選択されているなかで主モードとして選択されている場合に、読込原稿がカラー原稿であっても、原稿の読込み中のプレビュー表示及び読込完了後の仕上りプレビュー表示の画像をモノクロ画像で表示することができるため、煩雑な操作を行うことなく、実際に送信する画像のイメージを即座に確認することできる。
【０１９２】
また、本実施形態によれば、読込んだ画像を確認したい場合でも、プレビュー表示を原稿表示モードに切り替えることで、読込んだままの原稿（カラー原稿の場合はカラー画像）の縮小画像で確認することができる。
【０１９３】
尚、上述した実施形態では、本発明に係る操作ユニット１２０を図１に示すような画像形成装置１００に適用した例について説明したが、ＦＡＸ送信（またはインターネットＦＡＸ送信）する前に表示パネル等に原稿画像をプレビュー表示が可能な操作ユニットを備えるものであれば、上述したような構成の画像形成装置や複写機に限定されるものではなく、その他のデジタル複合機等に展開が可能である。
【０１９４】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１９５】
１００  画像形成装置
１０１  主制御部
１０２  原稿読取部（入力手段）
１０３  画像処理手段
１０４  画像形成部（画像形成手段）
１０５  蓄積手段
１０７  画像出力手段
１２０  操作ユニット（画像表示操作装置）
１３０  タッチパネルディスプレイ（表示制御手段）
１３１  操作ユニット側制御部
１３２  表示パネル（表示手段）
１３４  タッチパネル
１３５  操作位置検出手段
１３６  画面表示手段
１３７  表示画像生成手段
１５１  第１の表示領域
１５２  第２の表示領域
１６１  読取りライン（境界ライン）
１０００  システム領域
１３１０  表示画像表示手段
１３１１  第１の表示領域表示手段
１３１２  第２の表示領域表示手段
１０００  システム領域
２０００  機能選択領域
３０００  プレビュー領域
４０００  アクションパネル領域
５０００  タスクトリガー領域
５１００  実行ボタン群
５１０２  スキャンインキー（操作キー）
５１０４  クリアオールキー（操作キー）
５１０６  モノクロスタートキー（操作キー）
５１０８  カラースタートキー（操作キー）
５１０９  中断キー（操作キー）
５１１０  スタートキー（操作キー）
Ｐ１，Ｐ１１  １枚目の画像
Ｐ２，Ｐ１２  ２枚目の画像
Ｐ３，Ｐ１３  ３枚目の画像
【図１】
0005587099.tif 000002
【図２】
0005587099.tif 000003
【図３】
0005587099.tif 000004
【図４】
0005587099.tif 000005
【図５】
0005587099.tif 000006
【図６】
0005587099.tif 000007
【図７】
0005587099.tif 000008
【図８】
0005587099.tif 000009
【図９】
0005587099.tif 000010
【図１０】
0005587099.tif 000011
【図１１】
0005587099.tif 000012
【図１２】
0005587099.tif 000013
【図１３】
0005587099.tif 000014
【図１４】
0005587099.tif 000015
【図１５】
0005587099.tif 000016
【図１６】
0005587099.tif 000017
【図１７】
0005587099.tif 000018
【図１８】
0005587099.tif 000019
【図１９】
0005587099.tif 000020
【図２０】
0005587099.tif 000021
【図２１】
0005587099.tif 000022
【図２２】
0005587099.tif 000023
【図２３】
0005587099.tif 000024
【図２４】
0005587099.tif 000025
【図２５】
0005587099.tif 000026
【図２６】
0005587099.tif 000027
【図２７】
0005587099.tif 000028
【図２８】
0005587099.tif 000029
【図２９】
0005587099.tif 000030
【図３０】
0005587099.tif 000031
【図３１】
0005587099.tif 000032
【図３２】
0005587099.tif 000033
【図３３】
0005587099.tif 000034
【図３４】
0005587099.tif 000035
【図３５】
0005587099.tif 000036
【図３６】
0005587099.tif 000037
【図３７】
0005587099.tif 000038
【図３８】
0005587099.tif 000039
【図３９】
0005587099.tif 000040